(57)【要約】【課題】簡単な構成でグローブと器具本体側との密着性を確保することが可能な照明器具を提供する。【解決手段】本発明は、器具本体１と、器具本体１に配設された光源部２と、光源部２の出射光側に設けられるとともに器具本体１に取り付けられるフロント部材３と、光源部２の周囲に設けられるパッキング６と、パッキング６に当接する当接片部４２を備えるとともに光源部２を覆うように形成された透光性を有するグローブ４とを備えた照明器具である。【選択図】図３
2013099998.tif 000002
【特許請求の範囲】
【請求項１】
器具本体と；
器具本体に配設された光源部と；
光源部の出射光側に設けられるとともに器具本体に取り付けられるフロント部材と；
光源部の周囲に設けられるパッキングと；
パッキングに当接する当接片部を備えるとともに光源部を覆うように形成された透光性を有するグローブと；
を具備することを特徴とする照明器具。
【請求項２】
グローブは、光源部の出射光側へ突出する本体部と、本体部の端部から本体部の突出方向と略直交する方向に延出する当接片部とを備えており、
グローブの外面に沿って配設される不燃性部材と；
不燃性部材と当接片部とを挟持するクリップ部材と；
を具備することを特徴とする請求項１に記載の照明器具。
【請求項３】
グローブの少なくとも外面には、不燃性部材が一体的に貼着されていることを特徴とする請求項１に記載の照明器具。
【発明の詳細な説明】
【技術分野】
【０００１】
本発明の実施形態は、照明器具本体に配設された光源部を覆う透光性を有するグローブを備えた照明器具に関する。
【背景技術】
【０００２】
従来、例えば、バスや鉄道車両等の車両における車内灯に用いられる照明器具は、車両の天井面（被設置部）に設置される器具本体を備えており、この器具本体の前面側に直管形蛍光ランプ等の光源部が配設されているとともに、この光源部を覆う透光性を有するグローブが設けられている。
【０００３】
このような車両用の照明器具において、グローブの長手方向に沿う端部と器具本体の前面側との間には、パッキングが介在されるようになっている。このパッキングを介在させることにより、グローブと器具本体とを密着させるようにし、グローブと器具本体との間の隙間の発生を抑制し、グローブ内への塵埃や虫等の侵入を防止しようとするものである。
【０００４】
ところが、グローブは、一般的には細長の長尺状に形成されているため、例えば、振動等によって経時的にグローブの中央部が自重によって垂れ下り、グローブと器具本体との間に隙間が発生する可能性がある。
【０００５】
このため、器具本体側にグローブを保持する保持金具等の別部材を設けて、グローブと器具本体側との密着性を確保して隙間の発生を防止するように構成することが考えられる。
【先行技術文献】
【特許文献】
【０００６】
【特許文献１】特開２００８−２９６７７４号公報
【発明の概要】
【発明が解決しようとする課題】
【０００７】
しかしながら、上記のような場合、グローブと器具本体側との密着性を確保するため、別部材を設けることとなり、構成が複雑化するとともに部品点数が増加してコストアップを招く虞が生じる。
本発明は、上記課題に鑑みなされたもので、簡単な構成でグローブと器具本体側との密着性を確保することが可能な照明器具を提供することを目的とする。
【課題を解決するための手段】
【０００８】
本発明の実施形態による照明器具は、器具本体と、器具本体に配設された光源部と、光源部の出射光側に設けられるとともに器具本体に取り付けられるフロント部材とを備えている。
【０００９】
また、光源部の周囲に設けられるパッキングと、パッキングに当接する当接片部を備えるとともに光源部を覆うように形成された透光性を有するグローブとを具備している。
【発明の効果】
【００１０】
本発明の実施形態によれば、簡単な構成でグローブと器具本体側との密着性を確保することが可能な照明器具を提供することができる。
【図面の簡単な説明】
【００１１】
【図１】本発明の第１の実施形態に係る照明器具が被設置部に取付けられた状態を示す斜視図である。
【図２】同照明器具を分解して示す斜視図である。
【図３】同照明器具の断面図を示しており、（ａ）は器具本体にフロント部材を取付ける前の状態を示す断面図であり、（ｂ）は器具本体にフロント部材を取付けた後の状態を示す断面図である。
【図４】同照明器具の光源部、パッキング及び光源部支持台の配置関係を示す斜視図である。
【図５】同照明器具におけるグローブを示す断面図である。
【図６】本発明の第２の実施形態に係るグローブを示しており、（ａ）は斜視図であり、（ｂ）は側面図である。
【発明を実施するための形態】
【００１２】
以下、本発明の第１の実施形態について図１乃至図５を参照して説明する。本実施形態では、バスや電車等の車両における車内灯として用いられる照明器具を示している。なお、各図において同一部分には同一符号を付し、重複した説明は省略する。
【００１３】
照明器具は、車両の天井面等の被設置部Ｃに取付けられる長尺状の器具本体１と、この器具本体１に配設された光源部２と、器具本体１の前面側に取付けられるフロント部材３と、光源部２を覆うグローブ４と、光源部２を点灯制御する点灯装置５とを備えている。また、光源部２の周囲には、パッキング６が配設されるようになっている。
このような照明器具は、前面側を光の照射面とし、背面側を被設置部Ｃへの取付面としている。
【００１４】
器具本体１は、図１乃至図３に示すように、例えば、アルミニウム等の熱伝導が良好な金属材料から断面が略コ字状に折曲されて長尺状に形成されていて、背面側に平坦なベース壁１１が形成され、このベース壁１１の長手方向に沿う両端部から前面側へ向かって側壁１２が形成されている。
ベース壁１１は、被設置部Ｃへの取付面として機能する部分であり、長手方向の両端部には、取付ねじＳ1が貫通するねじ貫通孔１１ａが形成されている。
光源部２は、図２乃至図４に示すように、基板２１と、この基板２１に実装された複数の発光素子２２と、各発光素子２２を覆う蛍光体層２３とを備えている。
【００１５】
基板２１は、絶縁材である例えば、ガラスエポキシ樹脂（ＦＲ−４）等の材料で細長の長方形状に形成されている。表面側には銅箔で形成された配線パターンが施されている。また、適宜レジスト層が施されるようになっている。
【００１６】
なお、基板２１の材料には、セラミックス材料、合成樹脂材料又は各発光素子２２の放熱性を高めるうえで、アルミニウム等の熱伝導性が良好で放熱性に優れたべース板の一面に絶縁層が積層された金属製のべース基板を適用することができ、格別その材料が限定されるものではない。
【００１７】
複数の発光素子２２は、ＬＥＤのベアチップからなる。ＬＥＤのベアチップには、例えば、白色系の光を発光部で発光させるために、青色の光を発するものが用いられている。このＬＥＤのベアチップは、シリコーン樹脂系の絶縁性接着剤を用いて基板２１上に接着され、ボンディングワイヤによって配線パターン上に電気的に接続されている。
【００１８】
蛍光体層２３は、透光性合成樹脂、例えば、透明シリコーン樹脂製であり、ＹＡＧ：Ｃｅ等の蛍光体を適量含有している。蛍光体層２３は、個々の発光素子２２を発光素子２２ごとに被覆する山形の形状をなしている。蛍光体は、発光素子２２が発する光で励起されて、発光素子２２が発する光の色とは異なる色の光を放射する。発光素子２２が青色光を発する本実施形態では、白色光を出射できるようにするために、蛍光体には青色の光とは補色の関係にある黄色系の光を放射する黄色蛍光体が使用されている。
【００１９】
なお、発光素子としては、表面実装型のＬＥＤパッケージを用いてもよい。また、砲弾型のＬＥＤを実装するようにしてもよく、実装方式や形式は、格別限定されるものではない。
【００２０】
このような光源部２は、光源部支持台２５に取付けられるようになっている。光源部支持台２５は、アルミニウム等の熱伝導が良好な金属材料から長尺状に形成されていて、平坦な支持面２５ａと、この支持面２５ａの長手方向に沿う両端部から断面略Ｌ字状に折曲して形成された取付片２５ｂとから構成されている。
【００２１】
この光源部支持台２５は、器具本体１の前面側に取付けられている。具体的には、光源部支持台２５の取付片２５ｂが器具本体１のベース壁１１における前面側に図示しないねじ止め等によって取付けられている。
【００２２】
光源部２における基板２１は、前記光源部支持台２５の支持面２５ａに複数枚、具体的には、２枚の基板２１が長手方向に直線状に並べられて配設されている。したがって、基板２１の裏面側は、光源部支持台２５の支持面２５ａに面接触して熱的に結合されるようになっている。
【００２３】
また、光源部支持台２５の支持面２５ａには、光源部２の周囲に位置して光源部２の全周を囲むように環状で略長方形状をなすパッキング６が配設されている。パッキング６は、断面が略四角形状に形成されていて、弾力性を有する部材であり、例えば、シリコーンゴム等の材料によって形成されている。このパッキング６は、支持面２５ａ上に接着等によって固定されている。
【００２４】
フロント部材３は、図１乃至図３に示すように、例えば、溶融亜鉛めっき鋼鈑等の金属板によって概略箱状に形成され、器具本体１と同様に長尺状をなしている。フロント部材３は、前面壁３１、側面壁３２及び端面壁３３を備えている。フロント部材３は、器具本体１の前面側、すなわち、光源部２の出射光側をグローブ４が配設される部分を除いてカバーする機能を有している。
【００２５】
前面壁３１は、横長の略長方形状をなしており、中央部には、詳細を後述するグローブ４が支持される長手方向に沿った略長方形状の開口部３１ａが形成されている。また、長手方向の両端部には、取付ねじＳ2が貫通するねじ貫通孔３１ｂが形成されている。
【００２６】
側面壁３２及び端面壁３３は、前面壁３１の両側部及び両端部から起立するように形成されていて、図３に代表して示すように側面壁３２は、器具本体１の外形を形成する側壁１２の幅寸法より若干大きな幅寸法を有している。
【００２７】
このようなフロント部材３は、一対の支持金具３５によって器具本体１の前面側に取付けられるようになっている。支持金具３５は、金属板を略コ字状に折曲して形成されており、取付部３５ａと、この取付部３５ａから折曲されて外側方向に延出する固定片３５ｂとを備えている。取付部３５ａには、取付ねじＳ2がねじ込まれるねじ穴３５ｃが形成されており、固定片３５ｂは、器具本体１の前面側における両端部に固着されるようになっている。
【００２８】
グローブ４は、図５の参照を加えて示すように、透光性を有し、側断面が略半円形状をなして長尺状に形成され、光源部２を覆うようになっている。グローブ４は、透明のポリカーボネート樹脂又はアクリル樹脂等によって形成されていて、その外面側は、不燃性部材であるシート状のガラスクロス４５によって覆われている。
【００２９】
より詳しくは、グローブ４は、本体部４１と、この本体部４１から延出した当接片部４２とを備えている。本体部４１は、前面側、すなわち、光源部の出射光側へ突出するように側断面が半円形状の曲線をなすように形成されており、この本体部４１の長手方向に沿う開放側、すなわち、背面側の両端部には、本体部４１の突出方向と略直交する方向に延出する平坦状であって鍔状の当接片部４２が形成されている。
【００３０】
グローブ４には、外面に沿って不燃性部材であるガラスクロス４５が配設されている。ガラスクロス４５は、不燃性の材料からなるガラス繊維によって形成されており、柔軟性を有しているとともに透光性を有している。また、ガラスクロス４５は、その幅方向の長さ寸法がグローブ４の外面における幅方向の長さ寸法より長く形成されていて、そのためガラスクロス４５は、当接片部４２を巻き込んで配設することが可能となっている。
【００３１】
具体的には、ガラスクロス４５は、グローブ４における本体部４１の曲面に沿い、また、当接片部４２を外面側から内面側に亘って巻き込むように配設されており、この巻き込まれた部分をクリップ部材４６によって当接片部４２に挟持するように取付けられている。つまり、ガラスクロス４５は、巻き込まれた部分と当接片部４２とを挟持するクリップ部材４６によってグローブ４に取付けられるようになっている。
【００３２】
クリップ部材４６は、グローブ４の当接片部４２における長手方向の略全長に亘る長尺状に形成されている。また、断面形状が略Ω状に形成されてばね性を有しており、ガラスクロス４５の巻き込まれた部分を外側から挟み込むように取着されている。
【００３３】
すなわち、クリップ部材４６には、中央湾曲部４６ａと、この中央湾曲部４６ａから延出する一対の挟持部４６ｂとから構成されており、一対の挟持部４６ｂは、内面側が互いに対向する凸状の円弧状部を有していて、この円弧状部が相互に接近するように弾性が付与されている。
【００３４】
また、外面側に位置される一方の挟持部４６ｂの先端部４６ｃは、グローブ４の本体部４１と当接片部４２との境目近傍、換言すれば、本体部４１の開放側の端部と、この端部から水平方向へ延出された当接片部４２との連続する折り曲げ部分Ｂの近傍まで延出されて位置するようになっている。
【００３５】
したがって、ガラスクロス４５は、グローブ４の当接片部４２に巻き込まれることと相俟って、グローブ４の外面にたるみやしわ等を生じることなく密着するように配設されるようになる。
【００３６】
さらに、グローブ４の長手方向の両端部には、グローブ端板４３が接着されて設けられている。グローブ端板４３は、略半円形状をなしていて、グローブ４と同様に透明のポリカーボネート樹脂又はアクリル樹脂等によって形成されており、その外面側には、不燃性部材であるガラスクロスが貼着されている。
なお、グローブ４の当接片部４２及びグローブ端板４３は、前記略長方形状をなすパッキング６に対向するように構成されている。
【００３７】
点灯装置５は、器具本体１のベース壁１１の背面側に取付けられている。点灯装置５は、箱状のケース内に回路部品を収容して構成されており、商用交流電源ＡＣに接続されて、この交流電源ＡＣを受けて直流出力を生成するものである。点灯装置５は、例えば、全波整流回路の出力端子間に平滑コンデンサを接続し、この平滑コンデンサに直流電圧変換回路及び電流検出手段を接続して構成されている。したがって、点灯装置５は、光源部２に接続されており、その直流出力を発光素子２２に供給し、発光素子２２を点灯制御するようになっている。なお、点灯装置５は、外部の直流電源ＤＣに接続されて、直流電源ＤＣを受けて、ＬＥＤに直流出力を供給する形態であってもよい。
次に、主として図２及び図３を参照して照明器具の設置状態及び組立構成について説明する。
【００３８】
まず、図３（ａ）に示すように、光源部２が器具本体１に取付けられている状態において、器具本体１を被設置部Ｃの所定の位置に配置して、取付ねじＳ1を前面側からねじ貫通孔１１ａを貫通させて被設置部Ｃ側にねじ込む（図２参照）。これにより、器具本体１は、被設置部Ｃに取付けられる。
【００３９】
続いて、グローブ４をフロント部材３の背面側からフロント部材３の開口部３１ａに合わせて配置する。具体的には、グローブ４における前面側へ突出する本体部４１を開口部３１ａに挿通させるように落とし込んで配置する。この場合、開口部３１ａの幅寸法Ｗ１は、本体部４１の両端部から延出した当接片部４２間の幅寸法Ｗ２より小さく形成されているため、当接片部４２は、クリップ部材４６を介して開口部３１ａの周縁に支持されるようになる。
【００４０】
次いで、フロント部材３を上方に押し上げ、図３（ｂ）に示すように、器具本体１の側壁１２にフロント部材３の側面壁３２が嵌合するように配置し、取付ねじＳ2を前面側からフロント部材３のねじ貫通孔３１ｂを貫通させて支持金具３５のねじ穴３５ｃにねじ込む（図２参照）。これにより、フロント部材３は、器具本体１側に取付けられる。
【００４１】
このような状態においては、フロント部材３の取付けとともに、器具本体１側、つまり、光源部支持台２５とグローブ４における当接片部４２との間にパッキング６が、クリップ部材４６を介して当接片部４２に当接され押圧されて弾性変形を伴って介在されるようになり、グローブ４と器具本体１側との密着性が確保されるようになる。したがって、グローブ４内を確実に密閉することが可能となる。
【００４２】
この場合、フロント部材３の取付けとともに、パッキング６が介在され、グローブ４と器具本体１側との密着性が確保されるようになるため、密閉性を確保するための格別な部材を省略することが可能となりコスト的に有利となる。
【００４３】
加えて、グローブ４をフロント部材３の開口部３１ａに配置することにより、フロント部材３の取付けに際し、グローブ４における当接片部４２とパッキング６とが位置的に対応するようになるので、組立作業の効率化が可能となる。
【００４４】
照明器具の設置状態において、点灯装置５に電力が供給されると、光源部２における発光素子２２に通電され発光素子２２は発光する。発光素子２２から出射された光は、グローブ４を透過して拡散され、所定の配光範囲に照射される。
また、発光素子２２の発光に伴い熱が発生する。この熱は、基板２１の裏面側から主として光源部支持台２５、器具本体１へ伝導され放熱される。
【００４５】
さらに、例えば、振動等により経時的に長尺状のグローブ４の中央部が自重によって下方に垂れ下るというような不具合を回避することができ、グローブ４と器具本体１側との間の隙間の発生を抑制することができ、グローブ４内への塵埃や虫の侵入を防止することが可能となる。
【００４６】
以上のように本実施形態によれば、簡単な構成でグローブ４と器具本体１側との密着性を確保することができる。さらに、グローブ４を不燃構造とすることができ、クリップ部材４６の先端部４６ｃがグローブ４における本体部４１と当接片部４２との境目近傍まで延出されているので、ガラスクロス４５は、グローブ４の外面に密着するように配設することができる。
【００４７】
次に、本発明の第２の実施形態について図６を参照して説明する。本実施形態は、第１の実施形態とは異なる構成のグローブを示している。図６（ａ）は、グローブの斜視図であり、図６（ｂ）は、グローブの側面図である。なお、第１の実施形態と同一又は相当部分には、同一符号を付し重複した説明は省略する。
【００４８】
本実施形態のグローブ４は、透光性の合成樹脂製のフィルム材の両面に不燃性部材であるフィルムシート、例えば、ガラスクロス材を一体的に貼着したものを素材として用いている。
この素材を例えば、側断面を半円形状とし、当接片部４２を有する所定の形状に成形加工してグローブ４が構成されている。
【００４９】
このような構成により、グローブ４を構成する部品点数を少なくすることができ、コストの低減を図ることができる。また、グローブ４の両端側を覆うような別部材としてのグローブ端板を省略することが可能となる。さらに、成形加工が容易となり形状の選択の自由度を広げることができる。
【００５０】
なお、上記各実施形態において、例えば、グローブ４の形状は、側断面が略半円形状に限らず、略コ字状やＶ字状であってもよく、その形状が格別限定されるものではない。
【００５１】
また、クリップ部材４６は、グローブ４の当接片部４２における長手方向の略全長に亘って設けられることが好ましいが、クリップ部材４６を複数個用意して、当接片部４２における長手方向に部分的に配設するようにしてもよい。
【００５２】
さらに、パッキング６は、器具本体１側とグローブ４の当接片部４２との間に介在されればよく、したがって、当接片部４２にパッキング６が取付けられるようにしてもよい。
【００５３】
さらにまた、パッキング６は、当接片部４２と直接的に接触するように介在されていてもよいし、上記実施形態のように他の部材、例えば、クリップ部材４６を介して間接的に接触するように介在されていてもよい。
【００５４】
加えて、フロント部材３は、概略箱状に形成される形態のものに限らない。器具本体１の前面側に取付けられる部材であり、例えば、前面側をカバーするような板状の部材であってもよく、また、複数の部材から構成されるものであってもよい。
【００５５】
本発明は、上記実施形態の構成に限定されることなく、発明の要旨を逸脱しない範囲で種々の変形が可能である。また、上記実施形態は、一例として提示したものであり、発明の範囲を限定することは意図していない。
【符号の説明】
【００５６】
１・・・器具本体、２・・・光源部、
３・・・フロント部材、４・・・グローブ、
５・・・点灯装置、６・・・パッキング、
２１・・・基板、２２・・・発光素子（ＬＥＤ）、
４１・・・グローブの本体部、４２・・・グローブの当接片部、
４５・・・不燃性部材（ガラスクロス）、４６・・・クリップ部材、
Ｃ・・・被設置部
【図１】
2013099998.tif 000003
【図２】
2013099998.tif 000004
【図３】
2013099998.tif 000005
【図４】
2013099998.tif 000006
【図５】
2013099998.tif 000007
【図６】
2013099998.tif 000008